(57)【要約】乳児シートベッドが開示される。本発明は弾性素材を圧縮成形して一体に製作され、壁部と下敷部とを含む乳児シートベッドにおいて、前記壁部は乳児の移動を防止することができるように辺縁を囲む形状に構成され、前記下敷部は乳児の頭を支持するように曲面の溝形態に形成される頭受け部と、前記頭受け部の下部に乳児の首を支持するように曲面の突出形態に形成される首受け部と、前記首受け部の下部で乳児の背を支持する背受け部とを備える。
2016511040.tif 000002
【特許請求の範囲】
【請求項１】
弾性素材を圧縮成形して一体に製作され、壁部（１００）と下敷部（２００）とを含む乳児シートベッド（Ｍ）において、
前記壁部（１００）は乳児の移動を防止することができるように辺縁を囲む形状に構成され、
前記下敷部（２００）は、乳児の頭を支持するように曲面の溝形態に形成される頭受け部（２１０）と；前記頭受け部（２１０）の下部に乳児の首を支持するように曲面の突出形態に形成される首受け部（２２０）と；前記首受け部（２２０）の下部で乳児の背を支持する背受け部（２３０）と；を含むことを特徴とする乳児シートベッド。
【請求項２】
前記背受け部（２３０）の下部に乳児の脚を支持するように上向きに傾斜するように形成される脚受け部（２４０）を含むことを特徴とする請求項１に記載の乳児シートベッド。
【請求項３】
前記壁部（１００）の両側端には乳児の腕をかけるように溝形態に形成される腕受け溝（１１０）（１１０’）が備えられることを特徴とする請求項１に記載の乳児シートベッド。
【請求項４】
前記壁部（１００）の下端には乳児の脚をかけるように溝形態に形成される脚受け溝（１２０）が備えられることを特徴とする請求項１に記載の乳児シートベッド。
【請求項５】
前記壁部（１００）及び下敷部（２００）の上面に通気溝（３００）が備えられることを特徴をする請求項１〜４に記載の乳児シートベッド。
【請求項６】
前記通気溝（３００）は、前記壁部（１００）の上面に備えられて辺縁を囲む周辺通気溝（３１０）と；前記周辺通気溝（３１０）と連結され、前記下敷部（２００）の上面に備えられる下敷部通気溝（３２０）と；で構成され、
前記下敷部通気溝（３２０）は前記下敷部（２００）の頭受け部（２１０）に備えられる頭通気溝（３２１）と；背受け部（２３０）に備えられる背通気溝（３２２）と；脚受け部（２４０）に備えられる脚通気溝（３２３）と；を含むことを特徴とする請求項５に記載の乳児シートベッド。
【発明の詳細な説明】
【技術分野】
【０００１】
本発明は乳児シートベッドに関するものである。詳細には、弾性素材を圧縮成形して一体に製作され、壁部と下敷部とを含み、乳児の移動を防止することができる乳児シートベッドに関するものである。
【背景技術】
【０００２】
乳児は多様な意味で使われるが、通常生後約１年頃まで乳で養育される時期を意味する。
【０００３】
歩き始める前の乳児は体の発達が未熟で、自ら姿勢を取ることができなく、親から長時間離れる場合、各種危ない状況に陥ることになる。
【０００４】
具体的に、乳児は自ら頭を支えることができないため頭が回ってしまう場合、布団などの寝具類に気道が塞がれて窒息の危険があり、体の組織が発達する過程で、頭蓋骨が柔らかい状態にあるため、片方に寝る姿勢が長時間続く場合、外圧によって頭の形が変形されやすい虞がある。
【０００５】
また、平らな床に子供を寝かす場合、頭と胸が一直線になって、消化器官が未熟な乳児は食べ物が逆流して吐くことがあり、ひどい場合には窒息につながる。
【０００６】
上述したような各種危険な状況から乳児を保護する必要があるにもかかわらず、従来には特別な器具なしに単純に親に頼って、乳児の面倒を見る場合が多く、これは養育の負担につながるしかなかった。
【０００７】
従来の乳児用シートとして、アメリカ公開特許公報公開番号ＵＳ２００７／０２８３５０２Ａ１「ＭＡＴＴＲＥＳＳ  ＩＮＣＯＲＰＯＲＡＴＩＮＧ  Ａ  ＨＥＡＤＲＥＳＴ  ＦＯＲ  ＰＲＥＶＥＮＴＩＮＧ  ＡＮＤ  ＣＯＲＲＥＣＴＩＮＧ  ＮＯＮ−ＳＹＮＯＳＴＯＴＩＣ  ＣＲＡＮＩＡＬ  ＤＥＦＯＲＭＩＴＩＥＳ  ＩＮ  ＩＮＦＡＮＴＳ」（以下、「先行技術文献１」という）と韓国登録実用新案公報登録番号第２０−０４４４７６８号「乳児用マットレス」（以下、「先行技術文献２」という）が提案された。
【０００８】
ところが、上記先行技術文献１及び２は単純に乳児の頭蓋骨の成長に焦点を合わせているか、乳児の窒息防止について言及しているだけで、体の組職の成長のための正しい姿勢固定及び姿勢固定による各種危険要素の予防については具体的な技術的開示がなかった。
【発明の開示】
【発明が解決しようとする課題】
【０００９】
従って、本発明は上述した問題点を解決するために案出されたもので、乳児の移動を防止して窒息の危険を除去し、頭の形が変形されないで綺麗な形になるように補助し、乳児の姿勢を正しく食べ物の逆流を予防し、体の組織が正しく成長することができ、乳児の楽な睡眠を誘導することができるようにし、圧縮成形して部材を軽量化することにその目的がある。
【課題を解決するための手段】
【００１０】
本発明は弾性素材を圧縮成形して一体に製作され、壁部１００と下敷部２００とを含む乳児シートベッドＭにおいて、上記壁部１００は乳児の移動を防止することができるように辺縁を囲む形状に構成され、上記下敷部２００は乳児の頭を支持するように曲面の溝形態に形成される頭受け部２１０と；上記頭受け部２１０の下部に乳児の首を支持するように曲面の突出形態に形成される首受け部２２０と；上記首受け部２２０の下部に乳児の背を支持する背受け部２３０と；含むことを特徴とする。
【００１１】
また、上記背受け部２３０の下部に乳児の脚を支持するように上向きに傾斜するように形成される脚受け部２４０を含むことを特徴とする。
【００１２】
また、上記壁部１００の両側端には乳児の腕をかけるように溝形態に形成される腕受け溝１１０、１１０`が備えられることを特徴とする。
【００１３】
また、上記壁部１００の下端には乳児の脚をかけるように溝形態に形成される脚受け溝１２０が備えられることを特徴とする。
【００１４】
また、上記壁部１００及び下敷部２００の上面に通気溝３００が備えられることを特徴とする。
【００１５】
上記通気溝３００は、上記壁部１００の上面に備えられて辺縁を囲む周辺通気溝３１０と；上記周辺通気溝３１０と連結され、上記下敷部２００の上面に備えられる下敷部通気溝３２０と；で構成され、上記下敷部通気溝３２０は上記下敷部２００の頭受け部２１０に備えられる頭通気溝３２１と；背受け部２３０に備えられる背通気溝３２２と；脚受け部２４０に備えられる脚通気溝３２３と；を含むことを特徴とする。
【発明の効果】
【００１６】
以上で説明したように、本発明による乳児シートベッドによれば、壁部及び下敷部を通じて乳児の移動を防止し、頭が回って気道が塞がれて窒息する危険を除去することができるという効果を奏する。
【００１７】
また、腕受け溝を形成して自重により腕が押さえられる現象や、顔に腕が触れる事故を防止するという効果を奏する。
【００１８】
また、下敷部の頭受け部によって、乳児の頭の形が平たくなったり非対称にならないで、きれいな形になるようにすることができるという効果を奏する。
【００１９】
また、下敷部の形状によって、姿勢を正しく保ち、食べ物の逆流による窒息を防止することができるという効果を奏する。
【００２０】
また、通気溝を利用して、空気が循環されることができるようにして、汗や水分による肌疾患を防止し、体温を適切に保持することができるようになるという効果を奏する。
【００２１】
また、圧縮成形して製作されるので、部材が軽量化されるという効果を奏する。
【００２２】
また、乳児は体の組織構成が未熟であって、クッションのある布団に長時間放置される場合、姿勢が崩れて体の組織構成に悪影響を及ぼすことになるが、姿勢を支持することができるとともに、弾性材質を利用して、上記問題点を解決することができるようになる。
【００２３】
また、乳児が睡眠を取る際に有利な姿勢を提供し、楽な睡眠を誘導することができる効果を奏する。
【図面の簡単な説明】
【００２４】
【図１ａ】従来の乳児シートを示した斜視図である。
【００２５】
【図１ｂ】従来の乳児シートを示した斜視図である。
【００２６】
【図２】本発明による一実施例の乳児シートベッドを示した斜視図である。
【００２７】
【図３】本発明による一実施例の乳児シートベッドを示した平面図、側面図及び底面図である。
【００２８】
【図４】本発明による一実施例の乳児シートベッドを示した断面図である。
【００２９】
【図５】本発明による乳児シートベッドの使用状態図である。
【発明を実施するための形態】
【００３０】
本発明の実施例を添付図面を参照して説明すれば次の通りである。
【００３１】
図１ａ及び図１ｂは従来の乳児シートを示した斜視図である。従来の乳児シートは乳児を寝かせて頭を固定するもので、底面が体の部位に関係なく一定するように形成され、乳児の姿勢を正しく誘導することができなくて食べ物が逆流する虞があり、また体の組織構成を正しく誘導するなどの効果を期待することは不充分であった。
【００３２】
また、腕の固定に対する考慮がなくて、乳児の体に腕が押さえられたり、腕に圧力が加えられて血液がうまく循環されなくて乳児の調子が悪くなる問題点があった。
【００３３】
本発明による乳児シートベッドＭは、図２〜図５に示すように、弾性素材を圧縮成形して一体に製作され、壁部１００と下敷部２００とを含む。
【００３４】
上記弾性素材は発泡ポリエチレンやＥＶＡフォーム素材を利用することができ、上記弾性素材に織物原緞をラミネートした後圧縮成形して製作することが好ましい。それにより、上記乳児シートベッドＭが所定の弾性を有しながらも、強度を有して姿勢を正しく保つことができ、姿勢が崩れて体の組織構成に悪影響を及ぼす問題点を克服することができる。
【００３５】
また、図３の底面図に示すように、上記乳児シートベッドＭは、圧縮成形過程で上下部で同時に圧力を加えて製作することができ、厚さを約１５ｍｍ〜２０ｍｍに薄く形成することができて、軽量化が可能な利点がある。
【００３６】
上記壁部１００は乳児の移動を防止することができるように辺縁を囲む形状に構成される。それにより、乳児の寝返りがひどくても体が転覆される事故を防止することができる。
【００３７】
上記下敷部２００は乳児の頭を支持するように曲面の溝形態に形成される頭受け部２１０と、上記頭受け部２１０の下部に乳児の首を支持するように曲面の突出形態に形成される首受け部２２０と、上記首受け部２２０の下部に乳児の背を支持するように背受け部２３０とを含む。
【００３８】
上記頭受け部２１０は一次的には乳児が移動することができないように固定する。さらに、頭蓋骨が未熟で外圧によって変形されやすい乳児の頭をきれいな形になるように補助する役割を果たす。
【００３９】
一方、上記首受け部２２０は頭によって首に加えられる荷重の負担を減らし、頭と胸が一直線上になることを防止して、消化器官が完全に発達しない乳児が食べ物を吐いたり、これにより窒息されることを予防することができる。
【００４０】
また、上記背受け部２３０の下部に乳児の脚を支持するように上向きに傾斜するように形成される脚受け部２４０を含むことができる。
【００４１】
図４に示すように、上記首受け部２２０と背受け部２３０及び脚受け部２４０に連結される曲面の断面ラインが乳児の姿勢を正しく整えて体の組織の構成を補助し、楽な睡眠を誘導して、親の保育による負担を軽減することができ、また、睡眠中に発生する窒息や転覆事故のような各種危険を除去することができる。
【００４２】
上記壁部１００の両側端には乳児の腕をかけるように溝形態に形成される腕受け溝１１０、１１０`が備えられることができる。
【００４３】
腕受け溝１１０、１１０`は、乳児の腕を固定しないことにより発生する突発状況、即ち自重によって腕が押さえられる現象や、顔に腕が当たる事故を予防し、乳児の腕に加えられる圧力を除去して、血液循環を図る効果を奏し、乳児はさらに楽な姿勢で睡眠を取ることができる。
【００４４】
また、壁部１００の下端には乳児の脚をかけるように溝形態に形成される脚受け溝１２０が備えられることができる。
【００４５】
乳児の体は上体に重心があって、横になった状態で自然に脚が上に上がる。そこで、脚の荷重を脚受け溝１２０が支えて、乳児が楽な姿勢を取るようになる。
【００４６】
一方、上記壁部１００及び下敷部２００の上面に通気溝３００が備えられることができる。
【００４７】
上記通気溝３００は乳児の体が上記乳児シートベッドＭに触れる部位に空気が循環されることができるようにして汗や水分による肌疾患を防止し、体温を適切に保持することができるようにする。
【００４８】
乳児の肌は鋭敏で、肌が長時間外気に露出されない場合、体温が上昇し、汗が冷えない場合、発疹やアトピーのような肌疾患に直結される。
【００４９】
この時、上記通気溝３００は、上記壁部１００の上面に備えられて、辺縁を囲む周辺通気溝３１０及び上記周辺通気溝３１０と連結され、上記下敷部２００の上面に備えられる下敷部通気溝３２０で構成されることができる。
【００５０】
即ち、上記周辺通気溝３１０と下敷部通気溝３１０とが相互連結されてこそ空気の円滑な流動を誘導することができる。
【００５１】
一方、上記下敷部通気溝３２０は上記下敷部２００の頭受け部２１０に備えられる頭通気溝３２１と、背受け部２３０に備えられる背通気溝３２２と、脚受け部２４０に備えられる脚通気溝３２３とを含んで、乳児の体に空気が均一に循環されることができる。
【００５２】
本発明の単純な変形乃至変更は当該技術分野における通常の知識を有する者によって容易に実施されることができ、このような変形や変更は何れも本発明の領域に属するとすべきである。
【図１ａ】
2016511040.tif 000003
【図１ｂ】
2016511040.tif 000004
【図２】
2016511040.tif 000005
【図３】
2016511040.tif 000006
【図４】
2016511040.tif 000007
【図５】
2016511040.tif 000008
【国際調査報告】
2016511040.tif 000009
2016511040.tif 000010
2016511040.tif 000011
2016511040.tif 000012